(57)【要約】【課題】突出部の構成材料を厚くすることなく、突出部の剛性を向上させることができる、包装用容器を提供する。【解決手段】後フランジ部から前フランジ部に亘ってラップを掛ける包装用容器１であって、後フランジ部に形成されていて、上方へ突き出た左側突出部４０と、左側突出部４０よりも右側に設けられ後フランジ部で上方へ突き出た右側突出部５０と、左側突出部４０と後側壁部２０Ｂとに筋状に形成され左側突出部４０から載置部側へ横にずれながら下がっている左側補強部４１０と、右側突出部５０と後側壁部２０Ｂとに筋状に形成され右側突出部５０から載置部側へ横にずれながら下がっている右側補強部５１０と、備えている。【選択図】図８
2017109791.tif 000002
【特許請求の範囲】
【請求項１】
食品を載せる載置部と、上記載置部の周縁から立ち上がった側壁部と、上記側壁部の上端部から外側へ延びたフランジ部と、を備えて、上記載置部よりも後側の上記フランジ部（以下、後フランジ部と呼ぶ。）から上記載置部よりも前側の上記フランジ部（以下、前フランジ部と呼ぶ。）に亘ってラップを掛ける包装用容器であって、
上記後フランジ部に形成されていて、上方へ突き出た突出部（以下、左側突出部と呼ぶ。）と、
上記左側突出部よりも右側に設けられ、上記後フランジ部で上方へ突き出た他の突出部（以下、右側突出部と呼ぶ。）と、
上記左側突出部と上記載置部よりも後側の上記側壁部（以下、後側壁部と呼ぶ。）とに筋状に形成され、上記左側突出部から上記載置部側へ横にずれながら下がっている左側補強部と、
上記右側突出部と上記後側壁部とに筋状に形成され、上記右側突出部から上記載置部側へ横にずれながら下がっている右側補強部と備えていることを特徴とする、包装用容器。
【請求項２】
少なくとも下記（１）と（２）の一方の条件を満たすことを特徴とする、請求項１に記載の包装用容器。
（１）上記左側補強部が上記左側突出部の左側と右側とに設けられている。
（２）上記右側補強部が上記右側突出部の左側と右側とに設けられている。
【請求項３】
少なくとも下記（３）と（４）の一方をさらに備えたことを特徴とする、請求項１又は請求項２に記載の包装用容器。
（３）上記左側補強部の横に設けられ、上記左側突出部から上記後側壁部へ上下に延びたリブ部。
（４）上記右側補強部の横に設けられ、上記右側突出部から上記後側壁部へ上下に延びたリブ部。
【請求項４】
上記左側突出部と上記右側突出部との間に形成され、下方に向かうにつれて前後の幅が広がるフランジ補強面をさらに備えていることを特徴とする、請求項１から請求項３の何れかに記載の包装用容器。
【請求項５】
上記左側補強部、上記右側補強部および上記フランジ補強面の間で規定される連結補強部をさらに備えていることを特徴とする、請求項４に記載の包装用容器。
【請求項６】
上記左側補強部と上記右側補強部との連結箇所に形成される連結点と、
上記後フランジ部と上記後側壁部との間に規定され、上記左側突出部の左側に位置する左側立ち上がり部と、
上記後フランジ部と上記後側壁部との間に規定され、上記右側突出部の右側に位置する右側立ち上がり部と、をさらに備え、
上記連結点は、上記左側立ち上がり部と上記右側立ち上がり部とをつなぐ仮想線からずれて配置されていることを特徴とする、請求項５に記載の包装用容器。
【請求項７】
上記フランジ補強面の裏面に形成され、前後方向に延びる複数の線状のリブ部をさらに備えていることを特徴とする、請求項４から請求項６の何れかに記載の包装用容器。
【請求項８】
上記左側突出部と上記右側突出部の形が異なることを特徴とする、請求項１から請求項７の何れかに記載の包装用容器。
【発明の詳細な説明】
【技術分野】
【０００１】
本発明は、ラップ掛け用の包装用容器の構造に関する。
【背景技術】
【０００２】
従来の食品用の包装用容器では、ラップを掛けたときに、内側に入れた食品にラップが触れないよう、食品の後側に配置される側壁部を高く形成したものがある。図２９（Ａ）は従来の包装用容器１００の正面図、図２９（Ｂ）はラップＷを掛けた包装用容器１００の概略側面図である。包装用容器１００は、後側に上方へ突き出た突出部１００Ａを備えている。
【０００３】
ラップ掛けとして、包装用容器１００に食品を盛り付けた後に、ラップＷを例えば後側の突出部１００Ａから前側の側壁部まで被せる。その際に、ラップＷを後側の突出部１００Ａによって高い位置に保持させて、食品の前や横に配置される低い側壁部側までラップを引っ張る。最後に底面側でラップＷの端部を重ねる。特許文献１には突出部を備えた包装用容器が開示されている。
【先行技術文献】
【特許文献】
【０００４】
【特許文献１】特許第５４６９３７８号公報
【発明の概要】
【発明が解決しようとする課題】
【０００５】
従来、包装機を用いたラップ掛けでは、所定長のラップを包装用容器１００に被せた後、側壁部から外側に出たラップ端部を底面へ向けて引っ張る際に、荷重が突出部１００Ａに集中すると、突出部１００Ａが変形することが起こり得る。例えば、突出部１００Ａが図２９（Ｃ）に破線の矢印方向へ折れ曲がってしまう。
【０００６】
ラップ掛け時の突出部１００Ａの折れ曲がり等の変形を防止するために、従来、突出部とその周辺とを他の部分に比べて厚く構成して剛性を向上させることが知られている（特許文献１の段落００２８）。しかし、包装用容器の製造コストが嵩んでしまうので、材料費を上げずに剛性を向上させることが望ましい。
【０００７】
本発明は、突出部の構成材料を厚くすることなく、突出部の剛性を向上させることができる、包装用容器を提供することを目的とする。
【課題を解決するための手段】
【０００８】
本発明は、食品を載せる載置部と、上記載置部の周縁から立ち上がった側壁部と、上記側壁部の上端部から外側へ延びたフランジ部と、を備えて、上記載置部よりも後側の上記フランジ部（以下、後フランジ部と呼ぶ。）から上記載置部よりも前側の上記フランジ部（以下、前フランジ部と呼ぶ。）に亘ってラップを掛ける包装用容器である。
【０００９】
上記包装用容器は、上記後フランジ部に形成されていて、上方へ突き出た突出部（以下、左側突出部と呼ぶ。）と、上記左側突出部よりも右側に設けられ、上記後フランジ部で上方へ突き出た他の突出部（以下、右側突出部と呼ぶ。）と、上記左側突出部と上記載置部よりも後側の上記側壁部（以下、後側壁部と呼ぶ。）とに筋状に形成され、上記左側突出部から上記載置部側へ横にずれながら下がっている左側補強部と、上記右側突出部と上記後側壁部とに筋状に形成され、上記右側突出部から上記載置部側へ横にずれながら下がっている右側補強部と、備えていることを特徴とする。
【００１０】
本発明の包装用容器は、好ましくは、少なくとも下記（１）と（２）の一方の条件を満たすことを特徴としている。
（１）上記左側補強部が上記左側突出部の左側と右側とに設けられている。
（２）上記右側補強部が上記右側突出部の左側と右側とに設けられている。
さらに、本発明の包装用容器は、少なくとも下記（３）と（４）の一方をさらに備えていることが望ましい。
（３）上記左側補強部の横に設けられ、上記左側突出部から上記後側壁部へ上下に延びたリブ部。
（４）上記右側補強部の横に設けられ、上記右側突出部から上記後側壁部へ上下に延びたリブ部。
【発明の効果】
【００１１】
本発明によれば、包装機でラップ掛けを行う際に、後フランジ部側より外側に出る余剰のラップ部分を底面へ向けて引っ張るときに、突出部を備えた後フランジ部側に荷重が作用しても、左側補強部と右側補強部とが各突出部の天頂部からそれらの立ち上がり部より低い位置まで配置されているので、後フランジ部の変形を防止することができる。
【図面の簡単な説明】
【００１２】
【図１】本発明の第一実施形態の包装用容器の斜視図である。
【図２】本発明の第一実施形態の包装用容器の平面図である。
【図３】本発明の第一実施形態の包装用容器の底面図である。
【図４】本発明の第一実施形態の包装用容器の正面図である。
【図５】本発明の第一実施形態の包装用容器の背面図である。
【図６】本発明の第一実施形態の包装用容器の左側面図である。
【図７】本発明の第一実施形態の包装用容器の右側面図である。
【図８】図２のＡ−Ａ線に沿った包装用容器の断面図である。
【図９】図２のＢ−Ｂ線に沿った包装用容器の端面図である。
【図１０】（Ａ）は図２の円Ｃ１の領域を拡大した平面図、（Ｂ）は図２の円Ｃ２の領域を拡大した平面図である。
【図１１】図１の包装用容器のフランジ部を説明するための端面図である。
【図１２】本発明の第一実施形態の後側壁部周辺を拡大した平面図である。
【図１３】（Ａ）は本発明の第一実施形態の後側壁部の一部を拡大した正面図、（Ｂ）は（Ａ）のＤ−Ｄ線に沿った後側壁部の概略端面図、（Ｃ）は（Ａ）のＥ−Ｅ線に沿った後側壁部の概略端面図、（Ｄ）は（Ａ）のＦ−Ｆ線に沿った後側壁部の概略端面図である。
【図１４】（Ａ）は本発明の第一実施形態の後側壁部周辺を拡大した平面図、（Ｂ）は本発明の第一実施形態の後側壁部周辺を拡大した概略正面図である。
【図１５】本発明の第一実施形態の包装用容器の使用方法を説明するための図である。
【図１６】（Ａ）から（Ｃ）は本発明の第一実施形態の包装用容器の使用方法を説明するための図である。
【図１７】本発明の第二実施形態の包装用容器の斜視図である。
【図１８】本発明の第二実施形態の包装用容器の平面図である。
【図１９】本発明の第二実施形態の包装用容器の底面図である。
【図２０】本発明の第二実施形態の包装用容器の正面図である。
【図２１】本発明の第二実施形態の包装用容器の背面図である。
【図２２】本発明の第二実施形態の包装用容器の左側面図である。
【図２３】本発明の第二実施形態の包装用容器の右側面図である。
【図２４】図１８のＧ−Ｇ線に沿った包装用容器の断面図である。
【図２５】図１８のＪ−Ｊ線に沿った包装用容器の断面図である。
【図２６】本発明の第二実施形態の後側壁部周辺を拡大した平面図である。
【図２７】本発明の第一実施形態の変形例の包装用容器の正面図である。
【図２８】（Ａ）から（Ｃ）は本発明の第一実施形態の変形例の仕切部を示す平面図である。
【図２９】（Ａ）は従来の包装用容器の正面図、（Ｂ）と（Ｃ）は従来の包装用容器の概略側面図である。
【発明を実施するための形態】
【００１３】
図１は本発明の第一実施形態のプラスチック製の包装用容器１の斜視図である。図２は包装用容器１の平面図、図３は包装用容器１の底面図、図４は包装用容器１の正面図、図５は包装用容器１の背面図、図６は包装用容器１の左側面図、図７は包装用容器１の右側面図である。
【００１４】
包装用容器１は、食品を載せる矩形型の載置部１０と、載置部１０の周縁から立ち上がった側壁部２０と、側壁部２０の上端部２０Ｕから外側へ延びたフランジ部３０とを備えている。
【００１５】
載置部１０は、包装用容器１の底を構成し、上方へ突き出た仕切部１２によって四つの平坦部１１に分けられている。仕切部１２は、縦に延びた縦仕切部１２１と、横に延びた横仕切部１２２と、縦仕切部１２１と横仕切部１２２とをつなぐ仕切連結部１２３と、縦仕切部１２１と横仕切部１２２との端にそれぞれ配置される仕切端部１２４と、を備えており、平坦部１１と一体に形成されている。
【００１６】
図８は図２のＡ−Ａ線に沿った包装用容器１の断面図である。図９は図２のＢ−Ｂ線に沿った包装用容器１の端面図である。縦仕切部１２１と横仕切部１２２は仕切連結部１２３よりも低く形成され、仕切連結部１２３は仕切端部１２４よりも低く形成されている。仕切連結部１２３が載置部１０の中央に配置され、四つの仕切端部１２４が縦仕切部１２１と横仕切部１２２とを介して仕切連結部１２３から前後と左右とに離れて設けられて、仕切部１２は平面視で十字型に形成されている。
【００１７】
図１０（Ａ）は図２の円Ｃ１の領域を拡大した平面図である。仕切連結部１２３は、仕切連結部１２３の最も高い部分を構成する上端面１２５と、上端面１２５から延びた四つの斜面（以下、仕切斜面１２６と呼ぶ。）と、隣り合う仕切斜面１２６の間に設けられ上端面１２５から延びた四つの稜線部１２７と、を備えている。稜線部１２７は載置部１０を平面視した場合に縦又は横に延びている。
【００１８】
図１０（Ｂ）は図２の円Ｃ２の領域を拡大した平面図である。各仕切端部１２４は、仕切連結部１２３と同様に、上端面１２５と四つの仕切斜面１２６と四つの稜線部１２７とを備えている。なお、仕切端部１２４は、第一実施形態では、一部を側壁部２０の領域を利用して構成されているが、全体を載置部１０の領域を利用して構成されてもよい。
【００１９】
各平坦部１１は輪郭を矩形型に形成されていて、二つの仕切端部１２４と一つの仕切連結部１２３と一つの縦仕切部１２１と一つの横仕切部１２２とで囲われている。平坦部１１に載せた食材を包む面（以下、包囲面１２８と呼ぶ。）が、仕切端部１２４の仕切斜面１２６と仕切連結部１２３の仕切斜面１２６と縦仕切部１２１の側面と横仕切部１２２の側面とが連なって形成されている。後側の平坦部１１で仕切部１２が設けられていない周縁には、脚部１３が裏面から下方へ突き出るように設けられている。
【００２０】
側壁部２０は、図２に示すように、載置部１０よりも前側の前側壁部２０Ｆと、後側の後側壁部２０Ｂと、左側の左側壁部２０Ｌと、右側の右側壁部２０Ｒと、を備えている。前側壁部２０Ｆと後側壁部２０Ｂと左側壁部２０Ｌと右側壁部２０Ｒとは、載置部１０の四隅に対応した位置でつながってコーナー部を構成している。なお、載置部１０が周縁を円形型に形成されて、前側壁部２０Ｆと左側壁部２０Ｌと後側壁部２０Ｂと右側壁部２０Ｒとがコーナー部を設けずにつながっていてもよい。
【００２１】
図１１は側壁部の断面図である。前側壁部２０Ｆと後側壁部２０Ｂと左側壁部２０Ｌと右側壁部２０Ｒとの各上端部２０Ｕが連なって口（以下、開口部２０Ａと呼ぶ。）を形成し、開口部２０Ａが載置部１０の上方で広がっている。開口部２０Ａが縦と横の各寸法を載置部１０の寸法よりも大きく設定されていて、側壁部２０は上端部２０Ｕを外側へずらして傾斜している。
【００２２】
後側壁部２０Ｂは、前側壁部２０Ｆよりも鉛直方向に沿った寸法が大きく設定されている。左側壁部２０Ｌと右側壁部２０Ｒでは、後側が前側より鉛直方向に沿った寸法を大きく設定され、さらに中間部分が後方へ行くにつれて次第に大きくなるように設定されて、上端部２０Ｕは傾斜している。
【００２３】
フランジ部３０は、図２に示すように、載置部１０よりも前側の前フランジ部３０Ｆと、後側の後フランジ部３０Ｂと、左側の左フランジ部３０Ｌと、右側の右フランジ部３０Ｒと、を備え、これらが開口部２０Ａまわりに連なって配置されている。また、フランジ部３０は、図１１に示すように、側壁部２０の上端部２０Ｕから外側に延びた横延長部３１と、横延長部３１の端から下方へ延びた下延長部３２と、から構成されている。なお、フランジ部３０は、横延長部３１の端から載置部１０側へ折り返す下延長部３２を備えているが、この折り返しの部分を省略して構成されてもよい。
【００２４】
包装用容器１では、後フランジ部３０Ｂが前フランジ部３０Ｆと比べて前後方向に沿った縦の寸法が大きく設定されていて、上方へ突出した三つの突出部を後フランジ部３０Ｂに備えている。各突出部は、図１及び図８に示すように、左から右へ高い順に配置されている。これらの突出部によって包装用容器１の後側壁部２０Ｂ側でラップを高い位置に保持することができる。
【００２５】
包装用容器１では、ラップ掛けの際に突出部に作用する荷重に対して、三つの突出部の内、左側の二つの大きな突出部の剛性を大きく設定している。以下、左側の大きな突出部を左側突出部４０と呼び、その右側の突出部を右側突出部５０と呼ぶ。右端の小さな突出部を左側突出部４０と右側突出部５０と区別するために小突出部６０と呼ぶ。さらに、後フランジ部３０Ｂは、左フランジ部３０Ｌとつながる左の端部をなだらかに形成されている。以下のこの左の端部を左肩部８０Ｌと呼ぶ。
【００２６】
図１２は包装用容器１の後側壁部２０Ｂの周辺を拡大した平面図である。図１２の二点鎖線は後フランジ部３０Ｂの横延長部３１の周縁を表しており、左側突出部４０は、横延長部３１の一部を上方へ延ばして形成されている。横延長部３１の領域は、平面視で前フランジ部３０Ｆの横延長部３１と比べて広い領域として設定されている。特に、縦の寸法が大きく設定されている。図１２では横延長部３１として二点鎖線で囲われた領域が一点鎖線を境に、左側から順に上記の左肩部８０Ｌ、左側突出部４０、右側突出部５０、小突出部６０、後述の右肩部８０Ｌとして構成されている。
【００２７】
図１２で、横延長部３１の周縁を示す二点鎖線の内、前側で左右に延びたラインＵＬが、後側壁部２０Ｂの仮想の上端部２０Ｕの位置を示す。ラインＵＬは、後側のコーナー部を構成する左側壁部２０Ｌと右側壁部２０Ｒの各上端部２０Ｕを、例えば載置部１０からの高さを一定にしてつなぐように設定されており、図示の曲線状に限らず、直線でもよい。
【００２８】
左側突出部４０は、左側突出部４０の最も高い部分を構成する天頂部（以下、左側天頂部４１と呼ぶ。）と、左側天頂部４１から下方へ延びた四つの傾斜部と、から構成されている。
【００２９】
左側天頂部４１は、図１２に示すように、後フランジ部３０Ｂの横延長部３１で前後方向の中間に設けられ、半球型に形成されている。各傾斜部は、低くなるに従って幅が広がった斜面として構成されている。以下、斜面が包装用容器１の前方に臨んだものを前傾斜部４２Ｆ、後方に臨んだものを後傾斜部４２Ｂ、左方に臨んだものを左傾斜部４２Ｌ、右方に臨んだものを右傾斜部４２Ｒと呼ぶ。
【００３０】
前傾斜部４２Ｆが後側壁部２０Ｂを上方へ延長させた位置に設けられていて、前傾斜部４２Ｆと後側壁部２０Ｂとは載置部１０の周縁から左側天頂部４１まで延びた一つの面を構成している。左傾斜部４２Ｌと右傾斜部４２Ｒとは、左側天頂部４１の左側と右側で、前後の寸法が左側天頂部４１へ近づくにつれて小さくなる。後傾斜部４２Ｂは、下延長部３２と連続した面を構成している。境界部４２１が、隣り合う傾斜部のつながる角状の部分として構成されており、突き出た先端を備えた形に限らず、先端を構成しないよう曲面状に張り出す形でもよい。
【００３１】
左傾斜部４２Ｌと前傾斜部４２Ｆとの間の境界部４２１は、左肩部８０Ｌを構成する横延長部３１と後側壁部２０Ｂとの間の角部２０Ｃ（図１１）とつながっている。左側突出部４０の境界部４２１と左肩部８０Ｌ側の角部２０Ｃとがつながる箇所は、例えば図４の正面視で、傾きが○印の位置で大きく変わっている。以下、左側突出部４０の左側で、さらに横延長部３１と後側壁部２０Ｂの間で傾きが大きく変わる箇所を左側立ち上がり部４４と呼ぶ。図１２では横延長部３１の二点鎖線上の○印が、左側立ち上がり部４４の位置を表している。前傾斜部４２Ｆと右傾斜部４２Ｒとの間の境界部４２１は、後述するように、左肩部８０Ｌや立ち上がり部４４より低い位置まで延びている。
【００３２】
右側突出部５０は、左側突出部４０よりも右側に設けられていて、図８に示すように、後側壁部２０Ｂの右肩部８０Ｒ（後述）よりも上方へ突出している。右側突出部５０は、左側突出部４０と同様に、図１２に示すように、右側突出部５０の最も高い部分を構成し横延長部３１の前後方向の中間に配置される他の天頂部（以下、右側天頂部５１と呼ぶ。）と、右側天頂部５１から下方へ広がった四つの傾斜部と、から構成されている。
【００３３】
右側突出部５０の傾斜部は、左側突出部４０の傾斜部と同様に、前傾斜部５２Ｆ、後傾斜部５２Ｂ、左傾斜部５２Ｌ、右傾斜部５２Ｒとから構成されて、左側突出部４０の各傾斜部と向きを揃えて配置されている。境界部５２１が、境界部４２１と同様に、隣り合う傾斜部のつながる角状の部分として構成されている。
【００３４】
右側突出部５０の前傾斜部５２Ｆと右傾斜部５２Ｒとの間の境界部５２１は、後述の小突出部６０の境界部６２１とつながっていて、つながる箇所が最も低い位置に設けられている。右側突出部５０の右側で小突出部６０とつながり、前傾斜部５２Ｆと横延長部３１との間に規定される箇所を、右側突出部５０の右側立ち上がり部５４と呼ぶ。図１２で◎印が、右側立ち上がり部５４の位置を表している。前傾斜部５２Ｆと左傾斜部５２Ｌとの間の境界部５２１は、後述するように、右肩部８０Ｒや右側立ち上がり部５４より低い位置まで延びている。
【００３５】
小突出部６０は、図８に示すように、右肩部８０Ｒよりも上方へ突出している。右肩部８０Ｒは、小突出部６０の右側に配置されており、上端部２０Ｕから外側に延びた横延長部３１で構成されたなだらかな部分である。右肩部８０Ｒは、右側壁部２０Ｒの右フランジ部３０Ｒとつながっている。
【００３６】
小突出部６０は、図１２に示すように、小突出部６０の最も高い部分を構成し後フランジ部３０Ｂに配置される他の天頂部（以下、小天頂部６１と呼ぶ。）と、小天頂部６１から下方へ広がった四つの傾斜部と、から構成されている。
【００３７】
小天頂部６１は右側天頂部５１よりも低い位置に設けられている。小突出部６０の傾斜部は、左側突出部４０や右側突出部５０の傾斜部と同様に、前傾斜部６２Ｆ、後傾斜部６２Ｂ、左傾斜部６２Ｌ、右傾斜部６２Ｒとから構成されて、左側突出部４０や右側突出部５０の各傾斜部と向きを揃えて配置されている。境界部６２１が、境界部４２１と同様に、隣り合う傾斜部のつながる角状の部分として構成されている。
【００３８】
右傾斜部６２Ｒと前傾斜部６２Ｆとの間の境界部６２１は、右肩部８０Ｒの横延長部３１と後側壁部２０Ｂとの間に構成される角部２０Ｃとつながっている。小突出部６０の境界部６２１と右肩部８０Ｒ側の角部２０Ｃとがつながる箇所では、例えば図４の正面視で、傾きが□印の位置で変わっている。以下、小突出部６０の右側で、さらに横延長部３１と後側壁部２０Ｂの間で傾きが大きく変わる箇所を小突出部６０の右側立ち上がり部６４と呼ぶ。図１２では横延長部３１の二点鎖線上の□印が、右側立ち上がり部６４の位置を表している。
【００３９】
小突出部６０の前傾斜部６２Ｆは、右側突出部５０の前傾斜部５２Ｆから横に続いた斜面を構成して、包装用容器１の内側を向いている。小突出部６０の右傾斜部６２Ｒは、下がるにつれて前後の幅を大きく形成されていて、なだらかな右肩部８０Ｒにつながっている。
【００４０】
包装用容器１は、図８に示すように、左肩部８０Ｌと右肩部８０Ｒとの高さを揃えて構成されている。左側の立ち上がり部４４から鉛直方向に沿った左側突出部４０と右側突出部５０との寸法（高さ）ＨＬ，ＨＲは１５ｍｍから３０ｍｍであり、右側天頂部５１は左側天頂部４１よりも低い位置に設けられている（ＨＬ＞ＨＲ）。包装用容器１は、このように載置部１０の後側で、後側壁部２０Ｂの上端部２０Ｕよりも高い位置に配置される左側突出部４０と右側突出部５０とを補強する以下の構成を備えている。なお、左側突出部４０と右側突出部５０とは左側天頂部４１と右側天頂部５１の高さを同じに構成されてもよい。
【００４１】
後フランジ部３０Ｂは、図２に示すように、左側天頂部４１と右側天頂部５１との間にフランジ補強面３１０を備えている。フランジ補強面３１０は左側突出部４０の右傾斜部４２Ｒと右側突出部５０の左傾斜部５２Ｌとが連なって、下方へ凹型な連続した面を構成し、各天頂部から下がるにつれて前後の幅が広がっている。フランジ補強面３１０の前後の幅は、フランジ補強面３１０の最も低い箇所で最も大きく設定されている。
【００４２】
左側補強部４１０が、図８に示すように、左側突出部４０と後側壁部２０Ｂとに筋状に形成されている。左側補強部４１０は、左側突出部４０で前傾斜部４２Ｆと右傾斜部４２Ｒとの間に形成された筋状の境界部４２１と、境界部４２１に連なるように後側壁部２０Ｂに筋状に形成された延長部４２２とから構成されている。左側補強部４１０は、左側天頂部４１から載置部１０側へ延び、さらに左側天頂部４１から右にずれながら下がっている。左側補強部４１０の下端が、左肩部８０Ｌや左側立ち上がり部４４よりも低い位置で、右側突出部５０から下方の後側壁部２０Ｂの斜面に設定されている。
【００４３】
延長部４２２は、図１２に示すように、左側突出部４０の境界部４２１が上端部２０Ｕより低い載置部１０側まで続くよう内側へ突き出て形成された角部４１１と、角部４１１から外側に設けた隅部４１２と、を備えて、段差状に構成されている。角部４１１は、境界部４２１と同様に、角状の部分として構成されている。隅部４１２は、左側突出部４０の右傾斜部４２Ｒに起点を設け、角部４１１の下端近傍に終点を配置して、角部４１１と平行に筋状に延びている。
【００４４】
右側補強部５１０が、図８に示すように、右側突出部５０と後側壁部２０Ｂとに筋状に形成されている。右側補強部５１０は、右側突出部５０で前傾斜部５２Ｆと左傾斜部５２Ｌとの間に形成された筋状の境界部５２１と、境界部５２１に連なるように後側壁部２０Ｂに筋状に形成された延長部５２２とから構成されている。右側補強部５１０は、右側天頂部５１から載置部１０側へ延び、さらに右側天頂部５１から左にずれながら下がっている。右側補強部５１０の下端が、右肩部８０Ｒよりも低い位置で、左側補強部４１０の長手方向の途中に設定されて、左側補強部４１０につながっている。
【００４５】
延長部５２２は、図１２に示すように、右側突出部５０の境界部５２１が上端部２０Ｕより低い載置部１０側まで続くよう内側へ突き出て形成された角部５１１と、角部５１１から外側に設けた５１２と、を備えて、段差状に構成されている。角部５１１は、境界部５２１と同様に、角状の部分として構成されている。隅部５１２は、右側突出部５０の左傾斜部５２Ｌに起点を設け、左側補強部４１０との連結箇所に終点を配置して、角部５１１と平行に筋状に延びている。
【００４６】
右側補強部５１０と左側補強部４１０とは非対称の形状である。図８に二点鎖線で示すように、右側天頂部５１と左側天頂部４１との中間を通る前後に延びた仮想の鉛直面Ｖを想定した場合、面対称には構成されていない。
【００４７】
後側壁部２０Ｂは、図８に示すように、左側補強部４１０と右側補強部５１０とフランジ補強面３１０とにつながる連結補強部２１０を備えている。連結補強部２１０は、外形を左側補強部４１０と右側補強部５１０とフランジ補強面３１０とで規定され、後側壁部２０Ｂを正面から見ると逆三角形型に形成されている。
【００４８】
第一実施形態では、図１３に示すように、後側壁部２０Ｂを正面から見ると、左側天頂部４１と右側天頂部５１との間の領域で左側補強部４１０と右側補強部５１０とによって区切られていて、後側壁部２０Ｂは左側領域部２１と右側領域部２２と中間領域部２３とから構成されている。なお、図１３では、左側領域部２１と右側領域部２２と中間領域部２３とに異なるハッチングを付して、左側天頂部４１と右側天頂部５１との間の領域を表している。
【００４９】
左側領域部２１は左側補強部４１０より左方と下方に配置され左側突出部４０の前傾斜部４２Ｆと同じ斜面を構成する。右側領域部２２は、右側補強部５１０より右方と下方に配置され右側突出部５０の前傾斜部４２Ｆと同じ斜面を構成する。なお、右側突出部５０の下方で左側補強部４１０より下に配置される部分は左側領域部２１で構成されている。中間領域部２３はフランジ補強面３１０と左側補強部４１０と右側補強部５１０とによって規定される。左側領域部２１と右側領域部２２と中間領域部２３とは異なる形に構成されており、これらの内、中間領域部２３が連結補強部２１０として構成されている。
【００５０】
連結補強部２１０と周辺の構成について説明する。
連結補強部２１０は、左側補強部４１０の右下がりの隅部４１２と、右側補強部５１０の左下がりの隅部５１２と、下方へ凹型のフランジ補強面３１０の前側の縁で周縁を構成されている。連結補強部２１０は、下方に凸の三角型の領域を、内側を臨む平坦な面に形成されている。
【００５１】
連結補強部２１０と左側補強部４１０とがつながる部分では、図１３（Ｂ）に示すように、中間領域部２３は左側領域部２１より外側にずれている。また、連結補強部２１０は、右側補強部５１０とつながる部分で、図１３（Ｄ）に示すように、中間領域部２３は右側領域部２２より外側にずれている。
【００５２】
連結補強部２１０まわりで、左側補強部４１０と右側補強部５１０の寸法が異なるように設定されている。左側補強部４１０で角部４１１と隅部４１２との間隔をｐ１（図１３（Ｂ））、右側補強部５１０で角部５１１と隅部５１２との間隔ｐ２（図１３（Ｄ））とすると、ｐ１が５ｍｍ、ｐ２が２．５ｍｍである。これらの値に拘らず、連結点より高い位置で、ｐ１がｐ２よりも大きく設定されていればよい。
【００５３】
さらに、右側突出部５０には小突出部６０が近接して設けられている。小天頂部６１と右側天頂部５１との間で後フランジ部３０Ｂの横延長部３１は、左傾斜部６２Ｌが右側突出部５０の右傾斜部５２Ｒとつながって下方へ凹型な連続した面を構成し、下がるにつれて前後の幅が大きくなるように形成されている。小天頂部６１と右側天頂部５１との間の湾曲した面も、フランジ補強面６１０として機能する。
【００５４】
小突出部６０の後傾斜部６２Ｂは、下部が左側突出部４０の後傾斜部４２Ｂの下部と右側突出部５０の後傾斜部５２Ｂの下部とつながっていて、これらが後フランジ部３０Ｂの左右方向で全長に亘って外側を向いた面（以下、外壁部３２０と呼ぶ。）を構成している。この外壁部３２０は、左フランジ部３０Ｌの下延長部３２につながり左肩部８０Ｌより前方の位置まで延びている。右側では、右フランジ部３０Ｒの下延長部３２につながり右肩部８０Ｒより前方の位置まで延びている。
【００５５】
左側補強部４１０と右側補強部５１０とがつながる連結箇所は、平面視で左側立ち上がり部４４（図１２の○印）と右側立ち上がり部５４（◎印）、さらに小突出部６０の右側立ち上がり部６４（□印）と横に並ばないように配置されている。
【００５６】
具体的には、連結箇所では連結補強部２１０も合わさる連結点９０が形成されており、図１４（Ａ）及び（Ｂ）に示すように連結点９０（図中の■印）は、左側立ち上がり部４４と右側立ち上がり部５４とを結ぶ仮想の直線Ｌ１と、左側立ち上がり部４４と小突出部６０の右側立ち上がり部６４とを結ぶ仮想の直線Ｌ２と、からずれて配置されている。さらに連結点９０は、横方向では右側天頂部５１に寄せて配置され、上下の方向では左肩部８０Ｌや右肩部８０Ｒよりも低い位置に配置されている。
【００５７】
前側壁部２０Ｆは、図４に示すように、前フランジ部３０Ｆの横延長部３１を部分的に上方へ膨らませた凸部３５を備えている。この凸部３５は上記の突出部と比べて低く形成されている。さらに凸部３５は後側壁部２０Ｂの左肩部８０Ｌよりも低い位置に設けられている。なお、前側壁部２０Ｆは後側壁部２０Ｂと高さを揃えて、また凸部３５を設けずに構成されてもよい。
【００５８】
左側壁部２０Ｌと右側壁部２０Ｒとは、左フランジ部３０Ｌと右フランジ部３０Ｒの横延長部３１をその全長に亘って、断面が上方へ凸型の曲面状に形成されている。左側壁部２０Ｌと右側壁部２０Ｒとは、長手方向の途中部分を、下延長部３２の上下方向に沿った寸法を短く設定されている。なお、左側壁部２０Ｌと右側壁部２０Ｒとは、上端部２０Ｕを前後に水平に延ばして構成され、横延長部３１を平らに形成してもよい。
【００５９】
線状のリブ部（以下、線状リブ部と呼ぶ。）３３０がフランジ部３０の横延長部３１の裏面に複数設けられている。各線状リブ部３３０は向きを揃えて所定の間隔で並んでおり、横延長部の幅方向で、その全体に亘って筋状に形成されている。後フランジ部３０Ｂでは、線状リブ部３３０が前後に延びていてフランジ補強面３１０を補強している。
【００６０】
包装用容器１は、載置部１０と側壁部２０とフランジ部３０とが一体に樹脂材で構成されている。材料は限定されるものではないが、ポリオレフィン系樹脂またはポリエステル系樹脂を利用することができる。包装用容器１を発泡体で構成する場合にはブタンなどの発泡剤を含んだ原反シート（ポリスチレンペーパー）を２次発泡させて、成型を行う。成型の際に、例えばポリスチレンペーパーを真空引きして容器状に賦形する。裁断装置がポリスチレンペーパーから成形品を分離する。その後、成型品の熱を冷ますと発泡体として包装用容器１が完成する。
【００６１】
包装用容器１の各部の厚みは、特に限定されるものではないが２ｍｍ〜３．５ｍｍであり、好ましくは２ｍｍ〜３ｍｍであり、さらに望ましくは２．２ｍｍ〜２．５ｍｍである。発泡ポリスチレンで構成すると、食材を保温し、周辺から断熱して保護することができて、刺身や惣菜などを盛り付ける場合に好ましい。また、包装用容器１は、発泡体の表面にフィルムを重ねて構成してもよい。
【００６２】
また、包装用容器１は、ＰＥＴ等の樹脂製のシート材を成型で熱変形させて全体を透明に構成してもよい。成型後の包装用容器１の各部の厚みは、特に限定されるものではないが０．０５ｍｍ〜１．０ｍｍであり、好ましくは０．１ｍｍ〜０．５ｍｍであり、さらに望ましくは０．２ｍｍ〜０．４ｍｍである。なお、透明に限らず、透光性を有したり、不透明に構成してもよい。
【００６３】
包装用容器１によれば、載置部１０の各平坦部１１に異なる食材を盛り付けることができる。食材は各平坦部１１に載せると共に、隣接した仕切連結部１２３や仕切端部１２４の仕切斜面１２６に載せることができる。食材として、例えば刺身を盛り付ける場合、図１５に示すように、平坦部１１にツマ５Ａを載せ、その上に各刺身５Ｂを載せて盛り付けを行うと、包装用容器１の包囲面１２８が食材を支持して、盛り付けた形態を維持することができる。
【００６４】
内側に刺身５Ｂなどの食材を入れた包装用容器１に包装機でラップを掛けるときには、例えば図１６（Ａ）に示すように包装機の中でラップＷを水平状に広げ、このラップＷの下方から包装用容器１を突き上げる。後側壁部２０Ｂの突出部がラップに当たって、図１６（Ｂ）に示すようにラップＷが左側天頂部４１と右側天頂部５１から前フランジ部３０Ｆと左フランジ部３０Ｌと右フランジ部３０Ｒまでに亘って、食材の上方を覆う。フランジ部３０から外側にはみ出す余剰のラップ部分Ｅが包装機によって底面側に引っ張られ更に底面で重ねられて、ラップ掛けが完了する。
【００６５】
包装用容器１では、ラップ掛けの際に包装機で後フランジ部３０Ｂ側より外側の余剰のラップ部分Ｅを図１６（Ｂ）で破線の矢印で示すように底面へ向けて引っ張るときに、高い突出部（左側突出部４０と右側突出部５０）を備えた後フランジ部３０Ｂに荷重Ｆが作用しても、左側補強部４１０と右側補強部５１０とが天頂部から左肩部８０Ｌや左側立ち上がり部４４，右側立ち上がり部５４，６４より低い位置まで筋状に延びているので、突出部や後フランジ部３０Ｂの折れ曲がりなどの変形を防止することができる。
【００６６】
さらに、フランジ補強面３１０が左側突出部４０と右側突出部５０との間に設けられ、その右傾斜部４２Ｒと左傾斜部４２Ｌとが低くなるに従って前後の幅が広く形成されて、左側補強部４１０と右側補強部５１０と隣接しているため、左側突出部４０と右側突出部５０の折れ曲がりなどを一層防止できる。
【００６７】
フランジ補強面３１０が連結補強部２１０を介して左側補強部４１０と右側補強部５１０とにつながって剛体を形作り、また複数の線状リブ部３３０がフランジ補強面３１０の裏側に設けられているので、後フランジ部３０Ｂの変形などを一層防止できる。
【００６８】
また、左側突出部４０と右側突出部５０とが異なる形に構成され、それらを補強する左側補強部４１０、右側補強部５１０、連結補強部２１０が、仮想の鉛直面Ｖを基準に非対称に構成されている。これにより、折れ曲がり易い箇所（左側立ち上がり部４４、右側立ち上がり部５４，６４や連結点９０）が仮想の直線Ｘ１，Ｘ２上に並んで荷重が集中することを回避できて、突出部や後フランジ部３０Ｂの変形を防止できる。
【００６９】
このように包装用容器１は、左側補強部４１０、右側補強部５１０、フランジ補強面３１０、連結補強部２１０を備えることで、後フランジ部３０Ｂの剛性を向上させることができる。
【００７０】
筋状の補強部として上下に延びる補強部を包装用容器の内側へ浸入して配置すると容量が減ってしまうが、左側補強部４１０と右側補強部５１０が、図１３に示すように、後側壁部２０Ｂを部分的に外側へずらして段差状に形成されているので、包装用容器１の内側を盛り付け用に大きな空間として構成することができる。
【００７１】
また、右側突出部５０は右側に小突出部６０が近接して設けられている。これらの距離は、左側突出から右側突出部５０までの距離と比べて短く設定されている。さらに、右側突出部５０と小突出部６０とがフランジ補強面６１０でつながっている。小突出部６０が右側突出部５０を補強することで、後フランジ部３０Ｂの変形を防止できる。
【００７２】
包装用容器１を包装機でラップ掛けを行う取扱方法では、包装用容器１をラップＷに突き上げるときに振動が生じても、包装用容器１の盛り付けを仕切部１２の包囲面１２８で支えることができる。一方、従来の包装用容器では盛り付けた食材を側壁部から離れた内側で安定して保持することができないため、盛り付けがラップ掛けによって崩れるおそれがある。第一実施形態の包装用容器１は、盛り付けた食材の形態をラップ掛け時に維持することができて、見栄えの良い商品の製造に貢献できる。
【００７３】
食材を入れた包装用容器１を斜めのカウンターに載せたときには、包装用容器１の載置部１０に設けた仕切部１２が各平坦部１１の盛り付けを包囲面１２８で支えて、顧客に見栄え良く並べることができる。
【００７４】
また、左側補強部４１０と右側補強部５１０とが段差状の筋として後側壁部２０Ｂに設けられ、さらに左側補強部４１０と右側補強部５１０とが非対称に形成されているので、高さの異なる左側突出部４０の山と右側突出部５０の山とが恰も前後にずれたような装飾として、高いデザイン性を発揮できる。よって、顧客に対するアイキャッチ性を高めて、商品の購買を促進できる。
【００７５】
（第二実施形態）
図１７は本発明の第二実施形態のプラスチック製の包装用容器２の斜視図である。図１８は包装用容器２の平面図、図１９は包装用容器２の底面図、図２０は包装用容器２の正面図、図２１は包装用容器２の背面図、図２２は包装用容器２の左側面図、図２３は包装用容器２の右側面図である。図２４は図１８のＧ−Ｇ線に沿った包装用容器２の断面図である。図２５は図１８のＪ−Ｊ線に沿った包装用容器２の断面図である。
【００７６】
第二実施形態の包装用容器２は、第一実施形態の包装用容器１と同様に、左側突出部４０と右側突出部５０と、これらの突出部を補強する構造と、を備えている。補強構造の内、突出部から後側壁部２０Ｂに亘って形成された補強部の構造が第一実施形態の包装用容器１と異なる。以下、第一実施形態の包装用容器１と同じ構成については同じ符号を付して、その詳細な説明を省略する。
【００７７】
先ず左側突出部４０を補強する構造について説明する。
包装用容器２は、正面視で、第１実施形態の左側補強部４１０と同様に左側突出部４０から後側壁部２０Ｂまで斜めに延びた左側補強部４２０と、左側突出部４０から後側壁部２０Ｂまで上下に延びたリブ部４３０と、を備えている。
【００７８】
左側補強部４２０は、第一実施形態の左側補強部４１０と異なり、左側突出部４０から左側と右側とへ延びている。以下、左側突出部４０から左側と右側とへ筋状に延びた構成を区別するために、左側突出部４０の左側の稜線が延長した構成を稜線状補強部４２０Ｌと呼び、左側突出部４０の右側の稜線が延長した構成を稜線状補強部４２０Ｒと呼ぶ。図２６は、後側壁部２０Ｂの周辺を拡大した平面図であり、稜線状補強部４２０Ｌ，４２０Ｒと後述の右側補強部５２０の稜線状補強部５２０Ｌ，５２０Ｒとを実線で表し、その他の構成を破線で表している。
【００７９】
左側の稜線状補強部４２０Ｌは、図２４に示すように、前傾斜部４２Ｆと左傾斜部４２Ｌとの間に形成された左側の境界部４２１と、この境界部４２１が後側壁部２０Ｂ内まで続くように後側壁部２０Ｂを区切る延長部４２２とで、正面視で左側天頂部４１の高い位置から後側壁部２０Ｂの低い位置まで横にずれながら下がる稜線状に形成されている。なお、図２４では、延長部４２２を破線で表している。
【００８０】
左側の稜線状補強部４２０Ｌが設けられた周辺には、後フランジ部３０Ｂを上方突き出させて形成された小突出部６０が設けられていて、左側の稜線状補強部４２０Ｌは、後側壁部２０Ｂの左右の方向で小突出部６０の小天頂部６１より左にずれた位置まで延びている。なお、左側突出部４０の左側には、小突出部６０との間にフランジ補強面６１０を設けている。
【００８１】
右側の稜線状補強部４２０Ｒは、前傾斜部４２Ｆと右傾斜部４２Ｒとの間に構成される境界部４２１と、この境界部４２１が後側壁部２０Ｂ内まで続くように後側壁部２０Ｂを区切る延長部４２２とで、左側の稜線状補強部４２０Ｌと同様に稜線状に形成されている。右側の稜線状補強部４２０Ｒは、第一実施形態の左側補強部４１０と同様に構成されている。右側の稜線状補強部４２０Ｒの下端は、左側の稜線状補強部４２０Ｌの下端より低い位置に設定されている。
【００８２】
リブ部４３０は、左側天頂部４１から載置部１０まで延びていて、全体に亘って断面が包装用容器２の内側へ膨らんだ円弧状に形成されていて、左右の方向に沿った円弧の幅が低くなるに従って大きくなるように設定されている。
【００８３】
次に右側突出部５０を補強する構造について説明する。
包装用容器２は、正面視で、第１実施形態の右側補強部５１０と同様に右側突出部５０から後側壁部２０Ｂまで斜めに延びた左側補強部５２０と、右側突出部５０から後側壁部２０Ｂまで上下に延びたリブ部５３０と、を備えている。
【００８４】
右側補強部５２０は、第一実施形態の右側補強部５１０と異なり、右側突出部５０から左側と右側とへ延びている。以下、右側突出部５０から左側と右側とへ筋状に延びた構成を区別するために、右側突出部５０の左側の稜線が延長した構成を稜線状補強部５２０Ｌと呼び、右側突出部５０の右側の稜線が延長した構成を稜線状補強部５２０Ｒと呼ぶ。
【００８５】
左側の稜線状補強部５２０Ｌは、前傾斜部５２Ｆと左傾斜部５２Ｌとの間に形成された左側の境界部５２１と、この境界部５２１が後側壁部２０Ｂ内まで続くように後側壁部２０Ｂを区切る延長部５２２とで構成され、右側の稜線状補強部５２０Ｒは、前傾斜部５２Ｆと右傾斜部５２Ｒとの間に形成された境界部５２１と、この境界部５２１と連なる延長部５２２とで構成されている。稜線状補強部５２０Ｌ，５２０Ｒは左側補強部４２０の稜線状補強部４２０Ｌ，４２０Ｒと同様に、図２４の正面視で右側天頂部５１の高い位置から後側壁部２０Ｂの低い位置まで横にずれながら下がる稜線状に形成されている。なお、図２４では、延長部５２２を破線で表している。
【００８６】
リブ部５３０は、右側天頂部５１の高い位置から下端の低い位置までの全体に亘って、断面が包装用容器２の内側へ膨らんだ円弧状に形成されていて、左右の方向に沿った円弧の幅が低くなるに従って大きくなるように設定されている。
【００８７】
右側補強部５２０では以下の構成が左側補強部４２０と異なっている。
右側補強部５２０では、左側の稜線状補強部５２０Ｌが、第一実施形態の右側補強部５１０と同様に構成されており、左側突出部４０の稜線状補強部４２０Ｒとつながっている。右側の稜線状補強部５２０Ｒは、左側の稜線状補強部５２０Ｌよりその長手方向の寸法を短く設定されていて、右側の稜線状補強部５２０Ｒの下端は、左側の稜線状補強部５２０Ｌの下端より高い位置に設けられている。右側の稜線状補強部５２０Ｒは、後側壁部２０Ｂの左右の方で小突出部６０の小天頂部６１より右にずれた位置まで延びている。
【００８８】
リブ部５３０は、左側突出部４０の稜線状補強部４２０Ｒにつながっている。リブ部５３０がつながる左側突出部４０用の稜線状補強部４２０Ｒでは、隅部５１２がリブ部５３０の形に沿って角部５１１側へ弧状に曲がっていて、稜線状補強部４２０Ｒの幅が狭く形成されている。また、左側突出部４０用の稜線状補強部４２０Ｒは右側突出部５０用のリブ部５３０よりさら右のずれた位置まで延びている。
【００８９】
このように構成された包装用容器２は、第一実施形態の包装用容器１と同様の効果を得られることに加えて、左側補強部４２０と右側補強部５２０とが天頂部から、後フランジ部と左フランジ部とがつながる左肩部８０Ｌやこの左肩部８０Ｌより高く突き出す左側立ち上がり部４４，右側立ち上がり部５４，６４より低い位置まで筋状に延びた補強部を各突出部に複数備えているので、突出部や後フランジ部３０Ｂの折れ曲がりなどの変形を一層防止することができる。
【００９０】
本発明の包装用容器は、上記の構成にかぎらず、例えば以下のように構成してもよい。
（突出部）
図２７は変形例の包装用容器１Ａの正面図である。包装用容器１Ａは、上記の包装用容器１と異なり、小突出部６０を備えておらず、右肩部８０Ｒに寄せて右側突出部５０の右側立ち上がり部５４が設けられている。図中の◎印で示す右側立ち上がり部５４が、左側立ち上がり部４４と同じ高さの位置に配置され、さらに上記の包装用容器１と同様に、図示省略する連結点９０が、左側立ち上がり部４４と右側立ち上がり部５４とを結ぶ仮想の直線上から外れて設けられている。変形例の包装用容器１Ａも、上記の包装用容器１と同様に、後フランジ部３０Ｂの変形を防止できる。
【００９１】
（後側壁部２０Ｂ）
後側壁部２０Ｂが、例えば左側突出部４０と右側突出部５０等の前傾斜部４２Ｆ，５２Ｆ，６２Ｆの勾配と異なる斜面に形成して、上端部２０Ｕが左側突出部４０と右側突出部５０の前方で図１２のラインＵＬに沿って現れるように形成されてもよい。
【００９２】
（載置部）
図２８（Ａ）から（Ｃ）は仕切部の変形例を示す平面図である。図２８（Ａ）に示す仕切部１２Ａは、二つの仕切連結部１２３を横並びに載置部１０の中央寄りに配置して、各仕切連結部から縦方向と横方向とに離れた位置で載置部１０の周縁に仕切端部１２４を配置して構成されている。仕切端部１２４は仕切連結部１２３と縦仕切部１２１又は横仕切部１２２を介してつながっている。図２８（Ｂ）に示す仕切部１２Ｂは、仕切連結部１２３を設けずに、仕切端部１２４を縦方向に並べそれらの間に縦仕切部１２１を設けて構成されている。載置部１０には、図２８（Ｃ）に示すように、複数の仕切部１２Ｂを横に距離を置いて設けてもよい。
【００９３】
（補強部）
突出部周辺に設ける補強部として、左側補強部４１０，４２０、右側補強部５１０，５２０、フランジ補強面３１０、連結補強部２１０，リブ部４３０，５３０などの組み合わせは上記構成に限らず、例えばフランジ補強面３１０、連結補強部２１０の少なくとも一方を省略して、包装用容器は構成されてもよい。
【００９４】
また、ポリスチレンペーパーを利用して包装用容器１，１Ａ，２の底面側から真空引きで製造することで、後側壁部２０Ｂと後フランジ部３０Ｂの左側補強部４１０，４２０、右側補強部５１０，５２０、フランジ補強面３１０、連結補強部２１０，リブ部４３０，５３０の各補強構造で、食品と対向する内側に比べて外側の面の強度を高く、例えば外側の面で張り出す角部や隅部などの角状の部分を内側の角部や隅部などに比べてシャープに現れるよう、表面の密度の高い層で構成する。図５，図２１，図２５等に示すシャープの筋状のラインＥＬが外側の面に向きを異ならせて複数設けることで、一層強度を高めることができる。
【符号の説明】
【００９５】
１，１Ａ,２  包装用容器
１０      載置部
１１      平坦部
１２，１２Ａ，１２Ｂ    仕切部
１３      脚部
１２１    縦仕切部
１２２    横仕切部
１２３    仕切連結部
１２４    仕切端部
１２５    上端面
１２６    仕切斜面
１２７    稜線部
１２８    包囲面
２０      側壁部
２０Ａ    開口部
２０Ｕ    上端部
２０Ｃ    角部
２０Ｆ    前側壁部
２０Ｂ    後側壁部
２０Ｌ    左側壁部
２０Ｒ    右側壁部
２１      左側領域部
２２      右側領域部
２３      中間領域部
２１０    連結補強部
３０      フランジ部
３０Ｆ    前フランジ部
３０Ｂ    後フランジ部
３０Ｌ    左フランジ部
３０Ｒ    右フランジ部
３１      横延長部
３２      下延長部
３１０,６１０    フランジ補強面
３３０    線状リブ部
４０      左側突出部
４１      左側天頂部
４２Ｆ，５２Ｆ，６２Ｆ  前傾斜部
４２Ｂ，５２Ｂ，６２Ｂ  後傾斜部
４２Ｌ，５２Ｌ，６２Ｌ  左傾斜部
４２Ｒ，５２Ｒ，６２Ｒ  右傾斜部
４４      左側立ち上り部
４１０，４２０    左側補強部
４１１，５１１  角部
４１２，５１２  隅部
４２０Ｌ，４２０Ｒ，５２０Ｌ，５２０Ｒ  稜線状補強部
４２１，５２１，６２１  境界部
４２２，５２２  延長部
４３０，５３０  リブ部
５０      右側突出部
５１      右側天頂部
５４，６４  右側立ち上り部
５１０，５２０    右側補強部
６０      小突出部
６１      小天頂部
８０Ｌ    左肩部
８０Ｒ    右肩部
９０      連結点
【図１】
2017109791.tif 000003
【図２】
2017109791.tif 000004
【図３】
2017109791.tif 000005
【図４】
2017109791.tif 000006
【図５】
2017109791.tif 000007
【図６】
2017109791.tif 000008
【図７】
2017109791.tif 000009
【図８】
2017109791.tif 000010
【図９】
2017109791.tif 000011
【図１０】
2017109791.tif 000012
【図１１】
2017109791.tif 000013
【図１２】
2017109791.tif 000014
【図１３】
2017109791.tif 000015
【図１４】
2017109791.tif 000016
【図１５】
2017109791.tif 000017
【図１６】
2017109791.tif 000018
【図１７】
2017109791.tif 000019
【図１８】
2017109791.tif 000020
【図１９】
2017109791.tif 000021
【図２０】
2017109791.tif 000022
【図２１】
2017109791.tif 000023
【図２２】
2017109791.tif 000024
【図２３】
2017109791.tif 000025
【図２４】
2017109791.tif 000026
【図２５】
2017109791.tif 000027
【図２６】
2017109791.tif 000028
【図２７】
2017109791.tif 000029
【図２８】
2017109791.tif 000030
【図２９】
2017109791.tif 000031